(57)【要約】【課題】リモコン設定風量が低風時において温風の浮き上がりを防ぐこと。【解決手段】暖房運転時、リモコン設定風量が所定の風量以下、かつ室内吸込温度が所定の温度に達するまでは、通常の安定時に使用される圧縮機運転周波数よりも低い圧縮機運転周波数を用いることにより、低風量においても温風が浮き上がらないような室温と吹き出し温度の温度差に留めることができるので、温風が浮き上がることがなく、ユーザーの望む風量設定を維持しながら、被空調空間をすばやく暖めることができる。【選択図】図２                                                                               
2005147613.tif 000002
【特許請求の範囲】
【請求項１】
室内吸込温度検出手段と、リモコン設定温度検出手段と、リモコン設定風量検出手段と、前記吸込温度検出手段及び前記リモコン設定温度検出手段の出力からその偏差を算出する偏差算出手段と、前記吸込温度検出手段及び前記リモコン設定風量検出手段並びに前記偏差算出手段の出力を基に圧縮機運転周波数を決定する周波数決定手段を具備した空気調和機であって、暖房運転時にリモコン設定風量が所定の風量以下で、かつリモコンにより設定された室内吸込温度に達するまでは、圧縮機運転周波数を空調安定時のものと同等以下の運転周波数とすることを特徴とする空気調和機。
【請求項２】
室内配管温度が所定の温度より低い場合は、リモコン設定風量が所定の風量以下か、あるいは室内吸込温度が所定の温度に達していない場合でも、リモコン設定温度と吸込温度の偏差等に基づき決定される空調安定時の圧縮機運転周波数を用いることを特徴とする、請求項１記載の空気調和機。
【発明の詳細な説明】
【技術分野】
【０００１】
本発明は空気調和機の暖房運転の圧縮機周波数制御に関する。
【背景技術】
【０００２】
従来、空気調和機の運転制御装置は、特公昭６０−１２５３２号公報に記載されたものが知られている。このような空気調和機では、室温と設定温度との偏差からゾーンを定め、各ゾーンと運転周波数を対応付けるテーブルを持っている。
【０００３】
例えば立ち上り時、偏差が大きいゾーンでは高周波数で運転をおこない、室温が安定してきたら、つまり偏差の小さいゾーンでは低周波数で運転をおこなうというものであった。
図８は、特許文献１に記載された従来の周波数制御のブロック図を示すものである。図８に示すように、吸込温度４４、吸込温度検出手段４５、リモコン設定温度４６、リモコン設定温度検出手段４７、偏差検出手段４８、周波数テーブル４９、出力周波数５０から構成されている。
【特許文献１】特公昭６０−１２５３２号公報
【発明の開示】
【発明が解決しようとする課題】
【０００４】
しかしながら、従来装置にあっては、設定温度と室内温度との差が大きい運転開始直後の立ち上り時、設定風量が低い場合にも、圧縮機が高周波数で運転することから、吹き出し温度が高温風となり、室内温度と吹出し温度との温度差により、低密度の暖気は被空調室内の床面付近まで到達せずに上方に溜り、高温風を吹き出すことで反って被空調室内がなかなか暖まらないという現象がみられた。
【０００５】
そこで、本発明は、上記のような問題に着目し、ユーザーの選択した設定風量は維持しながらも、暖房運転の立ち上がり時、温風を床面まで到達させ、被空調室内をすばやく暖めることを可能とした空気調和機を提供するものである。
【課題を解決するための手段】
【０００６】
前記従来の課題を解決するために、請求項１の空気調和機は、暖房運転時、リモコン設定風量が所定の風量以下、かつ室内吸込温度が所定の温度に達するまでは、リモコン設定温度と吸込温度の偏差等に基づき決定される圧縮機運転周波数を使用せず、前記圧縮機運転周波数に対して同等か低い圧縮機運転周波数を用いるものである。
これによって、温風が浮き上がらないような室温と吹き出し温度の温度差に留めることができる。
【発明の効果】
【０００７】
本発明の空気調和機は、低風量においても温風が浮き上がらないような室温と吹き出し温度の温度差に留めることができるので、温風が浮き上がることがなく、ユーザーの望む風量設定を維持しながら、温風が浮き上がった場合に対して、被空調室内をすばやく暖めることが可能となる。
【発明を実施するための最良の形態】
【０００８】
第１の発明は、暖房運転時、リモコン設定風量が所定の風量以下、かつ室内吸込温度が所定の温度に達するまでは、リモコン設定温度と吸込温度の偏差等に基づき決定される圧縮機運転周波数を使用せず、前記圧縮機運転周波数に対して同等か低い圧縮機運転周波数
を用いることにより、低風量においても温風が浮き上がらないような室温と吹き出し温度の温度差に留めることができるので、温風が浮き上がることがなく、ユーザーの望む風量設定を維持しながら、温風が浮き上がった場合に対して、被空調室内をすばやく暖めることが可能となる。
【０００９】
第２の発明は、特に第１の発明において、室内配管温度が所定の温度より低い場合は、リモコン設定風量が所定の風量以下、または室内吸込温度が所定の温度に達していない場合でも、リモコン設定温度と吸込温度の偏差等に基づき決定される圧縮機運転周波数を用いることにより、外気温が低いときなどの暖房運転の立ち上がりにおいて、室内配管温度が温風の浮き上がりに関係のない温度まで高い周波数で運転をおこなうので、すばやく室内配管温度を上昇させることが可能となり、また配管温度が所定の温度に達した段階で、被空調室内の室温が低くても温風の浮き上がりを防ぐ圧縮機運転周波数を用いるので、温風の浮き上がりを防止することができ、結果さらに被空調室内をすばやく暖めることが可能となる。
【００１０】
以下、本発明の実施の形態について、図面を参照しながら説明する。なお、この実施の形態によって本発明が限定されるものではない。
【００１１】
図１は、本発明の実施の形態における空気調和機の概略図を示すものである。
図１において、空気調和機１は、室外機２と、室内機３で構成されている。室外機３には圧縮機４、四方弁５、膨張弁６、室外熱交換器７、室外ファン８、吐出温センサ９、室外配管温センサ１０、外気温センサ１１が設けられている。室内機３には、室内熱交換器１２、室内ファン１３、室内配管温度センサ１７、吸込センサ１８が設けられており、室外機と室内機が冷凍サイクルを形成するように接続され、四方弁５を切り替えることによって冷房と暖房をおこなわれるようになっている。また、室外機２、室内機３にはそれぞれに室外制御部２０と室内制御部２１とが設けられており、両制御部２０、２１は接続線によって接続されている。室内制御部２１には、室内機３の外に設けられたリモコン２３から送信される赤外線信号を受信する受信部２２を有しており、ユーザーがリモコン２３上で様々な操作をおこなうことが可能となっている。
【００１２】
以上のように構成された空気調和機について、以下にその動作、作用を説明する。
【００１３】
（実施の形態１）
本発明の第１の実施の形態において、図２は空気調和機の制御装置のブロック図、図３はフローチャート、図４は、タイミングチャートである。
【００１４】
図２において、２４は吸込温度、２５は吸込温度検出手段、２６はリモコン設定温度、２７はリモコン設定温度検出手段、２８はリモコン設定風量、２９はリモコン設定風量検出手段、３０は偏差算出手段、３１は周波数決定手段、３２は出力周波数である。
【００１５】
暖房運転が開始されると、吸入温度検出手段２５により吸込温度２４が検出され、リモコン設定温度検出手段２７にてリモコン設定温度２６が検出され、リモコン設定風量検出手段２９によってリモコン設定風量２８が検出される。リモコン設定温度２６と吸込温度２４から偏差算出手段３０によって偏差が算出され、偏差、吸込温度２４、リモコン設定風量２８から周波数決定手段３１によって、周波数が決定され、出力周波数３２として圧縮機に指令が出される。
【００１６】
また、図３において暖房運転が開始されると、Ｓｐ１においてリモコン設定風量がＱａ(例えばＬｏ風量)以下であるかどうかの判定がおこなわれ、そうであればＳｐ２に進み、そうでなければＳｐ３に進む。Ｓｐ２において、吸込温度がＴａ℃(例えば２０℃)以上か
どうかの判定がおこなわれ、そうであればＳｐ３に進み、そうでなければＳｐ４に進む。
【００１７】
Ｓｐ３において、偏差に基づいて決定される周波数が選択され、その周波数が出力周波数として、圧縮機に指令が出される。Ｓｐ４において、温風が浮き上がらないような周波数が選択され、その周波数が出力周波数として、圧縮機に指令が出される。以上、暖房運転が停止されるまでこの動作が周期的に繰り返される。
【００１８】
以上のように、本実施の形態１においては、低風量時に温風が浮き上がらないような周波数を選択するので、温風が浮き上がらないような室温と吹き出し温度の温度差に留めることができ、温風が浮き上がることがなく、ユーザーの望む風量設定を維持しながら、温風が浮き上がった場合に対して、被空調室内をすばやく暖めることが可能となる。
【００１９】
（実施の形態２）
本発明の第２の実施の形態において図５は空気調和機の制御装置のブロック図、図６はフローチャート、図７はタイミングチャートである。図５において、３３は吸込温度、３４は吸込温度検出手段、３５はリモコン設定温度、３６はリモコン設定温度検出手段、３７はリモコン設定風量、３８はリモコン設定風量検出手段、３９は室内配管温度、４０は室内配管温度検出手段、４１は偏差算出手段、４２は周波数決定手段、４３は出力周波数である。
【００２０】
暖房運転が開始されると吸入温度検出手段３４により吸込温度３３が検出され、室内配管温度検出手段４０によって、室内配管温度３９が検出され、リモコン設定温度検出手段３６にてリモコン設定温度３５が検出され、リモコン設定風量検出手段３８によってリモコン設定風量３７が検出される。リモコン設定温度３５と吸込温度３３から偏差算出手段４１によって偏差が算出され、偏差、吸込温度３３、室内配管温度３９、リモコン設定風量３７から周波数決定手段４２によって、周波数が決定され、出力周波数４３として圧縮機に指令が出される。
【００２１】
また、図６において、暖房運転が開始されると、Ｓｐ５においてリモコン設定風量がＱａ(例えばＬｏ風量)以下であるかどうかの判定がおこなわれ、そうであればＳｐ６に進み、そうでなければＳｐ８に進む。Ｓｐ６において、吸込温度がＴａ℃(例えば２０℃)以上かどうかの判定がおこなわれ、そうであればＳｐ８に進み、そうでなければＳｐ７に進む。
【００２２】
Ｓｐ７において、室内配管温度がＴｂ℃(例えば１９℃)以上かどうかの判定がおこなわれ、そうであればＳｐ８に進み、そうでなければ、Ｓｐ９に進む。Ｓｐ８において、偏差に基づいて決定される周波数が選択され、その周波数が出力周波数として、圧縮機に指令が出される。
【００２３】
Ｓｐ９において、温風が浮き上がらないような周波数が選択され、その周波数が出力周波数として、圧縮機に指令が出される。以上、暖房運転が停止されるまでこの動作が周期的に繰り返される。
【００２４】
図７は本発明の第２の実施の形態におけるタイミングチャートである。
【００２５】
以上のように、本実施の形態２においては、室内配管温度があまり温まっていない間は、温度より低い場合は、通常用いられるリモコン設定温度と吸込温度の偏差等に基づき決定される圧縮機運転周波数を使用するので、外気温が低いときなどの暖房運転の立ち上がりにおいて、室内配管温度が温風の浮き上がりに関係のない温度まで高い周波数で運転をおこなうので、すばやく室内配管温度を上昇させることが可能となり、また配管温度が所
定の温度に達した段階で、被空調室内の室温が低くても温風の浮き上がりを防ぐ圧縮機運転周波数を用いるので、温風の浮き上がりを防止することができ、結果さらに被空調室内をすばやく暖めることが可能となる。
【図面の簡単な説明】
【００２６】
【図１】本発明の実施の形態における空気調和機の概略図
【図２】本発明の実施の形態１における周波数制御のブロック図
【図３】本発明の実施の形態１における周波数制御のフローチャート
【図４】本発明の実施の形態１における周波数制御のタイミングチャート
【図５】本発明の実施の形態２における周波数制御のブロック図
【図６】本発明の実施の形態２における周波数制御のフローチャート
【図７】本発明の実施の形態２における周波数制御のタイミングチャート
【図８】従来の周波数制御のブロック図
【符号の説明】
【００２７】
１  空気調和機
２  室外機
３  室内機
４  圧縮機
５  四方弁
６  膨張弁
７  室外熱交換器
８  室外ファン
９  吐出温センサ
１０  室外配管温センサ
１１  外気温センサ
１２  室内熱交換器
１３  室内ファン
１７  室内配管温度センサ
１８  吸込センサ
２０  室外制御部
２１  室内制御部
２２  受信部
２３  リモコン
２４  吸込温度
２５  吸込温度検出手段
２６  リモコン設定温度
２７  リモコン設定温度検出手段
２８  リモコン設定風量
２９  リモコン設定風量検出手段
３０  偏差算出手段
３１  周波数決定手段
３２  出力周波数
３３  吸込温度
３４  吸込温度検出手段
３５  リモコン設定温度
３６  リモコン設定温度検出手段
３７  リモコン設定風量
３８  リモコン設定風量検出手段
３９  室内配管温度
４０  室内配管温度検出手段
４１  偏差算出手段
４２  周波数決定手段
４３  出力周波数
４４  吸込温度
４５  吸込温度決定手段
４６  リモコン設定温度
４７  リモコン設定温度検出手段
４８  偏差算出手段
４９  周波数テーブル
５０  出力周波数
【図１】
2005147613.tif 000003
【図２】
2005147613.tif 000004
【図３】
2005147613.tif 000005
【図４】
2005147613.tif 000006
【図５】
2005147613.tif 000007
【図６】
2005147613.tif 000008
【図７】
2005147613.tif 000009
【図８】
2005147613.tif 000010